(57)【特許請求の範囲】
【請求項１】
複数の導体部が設けられた平板状ケーブルと、この平板状ケーブルを挿入する挿入口が一側に設けられたコネクタと、前記平板状ケーブルの厚み方向から挟み込み前記導体部に対して導通されるフォーク形状の相手端子とを備えた平板状ケーブル用コネクタであって、
前記平板状ケーブルには、前記導体部の厚み方向のいずれか一方の面を覆う樹脂からなるスライダが設けられ、前記コネクタには、前記挿入口と連通され前記スライダを収容し前記平板状ケーブルの前記コネクタへの挿入方向の移動を規制する収容部が設けられ、
前記スライダの前記コネクタの他側の端部は、前記収容部から前記コネクタの外部に向けて突出され、前記相手端子に挟み込まれて前記平板状ケーブルの導体部と前記相手端子とが導通され、
前記コネクタの挿入口には、前記平板状ケーブルを挿通して保持し前記平板状ケーブルの前記コネクタからの抜け方向の移動を規制するホルダが組み付けられ、
前記ホルダは、両側面のいずれか一方の側面が開口されたコ字状に形成され、前記平板状ケーブルは、前記ホルダの開口から挿入されて前記ホルダに支持され、前記ホルダの両側面には、複数のリブが対称にそれぞれ設けられ、前記コネクタの挿入口の両側面には、前記複数のリブがそれぞれ係合する係合溝が対称にそれぞれ設けられていることを特徴とする平板状ケーブル用コネクタ。
【請求項２】
請求項１記載の平板状ケーブル用コネクタであって、
前記平板状ケーブルには、前記平板状ケーブルと前記コネクタの挿入口との間をシールする第１シール部材が設けられていることを特徴とする平板状ケーブル用コネクタ。
【請求項３】
請求項１又は２記載の平板状ケーブル用コネクタであって、
前記相手端子は、前記コネクタの他側に形成された間口から挿入されて前記収容部の外周を覆うように前記コネクタと嵌合する相手コネクタの端子収容部に収容され、前記コネクタの収容部の外周には、前記相手コネクタと前記コネクタの収容部の外周との間をシールする第２シール部材が設けられていることを特徴とする平板状ケーブル用コネクタ。
【発明の詳細な説明】
【技術分野】
【０００１】
本発明は、平板状ケーブル用コネクタに関する。
【背景技術】
【０００２】
従来、平板状ケーブル用コネクタとしては、フレキシブル回路基板（ＦＰＣ）やフレキシブルフラットケーブル（ＦＦＣ）などの可撓性を有する平板状ケーブルと、この平板状ケーブルの端部が挿入されて収容されるコネクタと、このコネクタに収容され平板状ケーブルの厚み方向から挟み込み平板状ケーブルの導体部に対して導通されるフォーク形状の相手端子とを備えたものが知られている（例えば、特許文献１参照）。
【０００３】
この平板状ケーブル用コネクタは、平板状ケーブルに耳部を設け、コネクタに変位可能な掛止部を設け、平板状ケーブルをコネクタに挿入した際に、掛止部が耳部に掛止することによって平板状ケーブルの抜け止めを行うと共に、掛止部の下方への変位を防止して掛止部の耳部に対する掛止解除を防止している。
【先行技術文献】
【特許文献】
【０００４】
【特許文献１】特開２０１０−３３９７８号公報
【発明の概要】
【発明が解決しようとする課題】
【０００５】
しかしながら、上記のような平板状ケーブル用コネクタでは、平板状ケーブルの導体部に対して導通される相手端子がフォーク形状に形成されて導体部を挟み込む構成であるので、平板状ケーブルの導体部と相手端子との間で十分な接触荷重を得ることができず、平板状ケーブルと相手端子との導通が不十分になる可能性があった。
【０００６】
そこで、この発明は、平板状ケーブルの導体部と相手端子とを確実に導通させることができる平板状ケーブル用コネクタの提供を目的としている。
【課題を解決するための手段】
【０００７】
請求項１記載の発明は、複数の導体部が設けられた平板状ケーブルと、この平板状ケーブルを挿入する挿入口が一側に設けられたコネクタと、前記平板状ケーブルの厚み方向から挟み込み前記導体部に対して導通されるフォーク形状の相手端子とを備えた平板状ケーブル用コネクタであって、前記平板状ケーブルには、前記導体部の厚み方向のいずれか一方の面を覆う樹脂からなるスライダが設けられ、前記コネクタには、前記挿入口と連通され前記スライダを収容し前記平板状ケーブルの前記コネクタへの挿入方向の移動を規制する収容部が設けられ、前記スライダの前記コネクタの他側の端部は、前記収容部から前記コネクタの外部に向けて突出され、前記相手端子に挟み込まれて前記平板状ケーブルの導体部と前記相手端子とが導通され、前記コネクタの挿入口には、前記平板状ケーブルを挿通して保持し前記平板状ケーブルの前記コネクタからの抜け方向の移動を規制するホルダが組み付けられ、前記ホルダは、両側面のいずれか一方の側面が開口されたコ字状に形成され、前記平板状ケーブルは、前記ホルダの開口から挿入されて前記ホルダに支持され、前記ホルダの両側面には、複数のリブが対称にそれぞれ設けられ、前記コネクタの挿入口の両側面には、前記複数のリブがそれぞれ係合する係合溝が対称にそれぞれ設けられていることを特徴とする。
【０００８】
この平板状ケーブル用コネクタでは、相手端子がスライダと平板状ケーブルの導体部とを挟み込むので、樹脂からなるスライダの厚みを調整することにより、平板状ケーブルの導体部と相手端子との間に十分な接触荷重を与えることができる。
【０００９】
従って、この平板状ケーブル用コネクタでは、平板状ケーブルの導体部と相手端子とを確実に導通させることができる。
【００１０】
また、平板状ケーブルの導体部の厚み方向のいずれか一方の面は、スライダに覆われているので、平板状ケーブルの破損を防止することができる。
【００１１】
さらに、コネクタには、スライダを収容し平板状ケーブルのコネクタへの挿入方向の移動を規制する収容部が設けられているので、平板状ケーブルのコネクタに対する挿入位置を位置決めすることができ、平板状ケーブルのコネクタへの挿入を容易に行うことができる。加えて、平板状ケーブルの導体部の位置ズレを防止でき、相手端子と導体部とを確実に導通させることができる。
また、この平板状ケーブル用コネクタでは、コネクタの挿入口に平板状ケーブルを挿通して保持し平板状ケーブルのコネクタからの抜け方向の移動を規制するホルダが組み付けられているので、平板状ケーブルのコネクタに対する保持を安定させることができると共に、平板状ケーブルのコネクタからの抜けを防止して平板状ケーブルの導体部と相手端子との導通を安定させることができる。
さらに、この平板状ケーブル用コネクタでは、ホルダが一方の側面が開口されたコ字状に形成されているので、リブと係合溝とを係合させることにより、ホルダが開口から拡張する方向への変形を防止することができる。
また、複数のリブと複数の係合溝とがそれぞれ対称に設けられているので、コ字状のホルダを平板状ケーブルを挿通しつつコネクタの挿入口のどちらの側面に対してもリブと係合溝とを係合させて組み付けることができ、ホルダのコネクタに対する組付性を向上することができる。
【００１２】
請求項２記載の発明は、請求項１記載の平板状ケーブル用コネクタであって、前記平板状ケーブルには、前記平板状ケーブルと前記コネクタの挿入口との間をシールする第１シール部材が設けられていることを特徴とする。
【００１３】
この平板状ケーブル用コネクタでは、平板状ケーブルに平板状ケーブルとコネクタの挿入口との間をシールする第１シール部材が設けられているので、コネクタの挿入口側からコネクタ内へ水が侵入することを防止することができる。
【００１４】
請求項３記載の発明は、請求項１又は２記載の平板状ケーブル用コネクタであって、前記相手端子は、前記コネクタの他側に形成された間口から挿入されて前記収容部の外周を覆うように前記コネクタと嵌合する相手コネクタの端子収容部に収容され、前記コネクタの収容部の外周には、前記相手コネクタと前記コネクタの収容部の外周との間をシールする第２シール部材が設けられていることを特徴とする。
【００１５】
この平板状ケーブル用コネクタでは、相手端子がコネクタに嵌合される相手コネクタの端子収容部に収容されているので、相手端子を保持して平板状ケーブルの導体部と相手端子との導通を安定させることができる。
【００１６】
また、コネクタの収容部の外周に相手コネクタとコネクタの収容部の外周との間をシールする第２シール部材が設けられているので、コネクタの間口側からコネクタ内へ水が侵入することを防止することができる。
【発明の効果】
【００２２】
本発明によれば、平板状ケーブルの導体部と相手端子とを確実に導通させることができる平板状ケーブル用コネクタを提供することができるという効果を奏する。
【図面の簡単な説明】
【００２３】
【図１】本発明の第１実施形態に係る平板状ケーブル用コネクタの斜視図である。
【図２】本発明の第１実施形態に係る平板状ケーブル用コネクタの断面図である。
【図３】本発明の第１実施形態に係る平板状ケーブル用コネクタのケーブル組立体の斜視図である。
【図４】本発明の第１実施形態に係る平板状ケーブル用コネクタのケーブル組立体の断面図である。
【図５】本発明の第１実施形態に係る平板状ケーブル用コネクタのケーブル組立体の分解斜視図である。
【図６】本発明の第１実施形態に係る平板状ケーブル用コネクタのコネクタの斜視図である。
【図７】本発明の第１実施形態に係る平板状ケーブル用コネクタのコネクタの断面図である。
【図８】本発明の第１実施形態に係る平板状ケーブル用コネクタの相手端子の斜視図である。
【図９】本発明の第１実施形態に係る平板状ケーブル用コネクタの相手コネクタの斜視図である。
【図１０】本発明の第１実施形態に係る平板状ケーブル用コネクタの相手コネクタの正面図である。
【図１１】本発明の第１実施形態に係る平板状ケーブル用コネクタの相手端子と相手コネクタとを組み付けたときの断面図である。
【図１２】本発明の第２実施形態に係る平板状ケーブル用コネクタの斜視図である。
【図１３】本発明の第２実施形態に係る平板状ケーブル用コネクタの断面図である。
【図１４】本発明の第２実施形態に係る平板状ケーブル用コネクタのホルダの斜視図である。
【図１５】本発明の第２実施形態に係る平板状ケーブル用コネクタのホルダの正面図である。
【図１６】本発明の第２実施形態に係る平板状ケーブル用コネクタのコネクタの斜視図である。
【図１７】本発明の第２実施形態に係る平板状ケーブル用コネクタのホルダをコネクタに組み付けるときの斜視図である。
【図１８】（ａ）は本発明の第２実施形態に係る平板状ケーブル用コネクタのホルダを一方側からコネクタに組み付けるときの正面図である。（ｂ）は本発明の第２実施形態に係る平板状ケーブル用コネクタのホルダを他方側からコネクタに組み付けるときの正面図である。
【図１９】本発明の第２実施形態に係る平板状ケーブル用コネクタのホルダをコネクタに組み付けるときの斜視図及び要部拡大図である。
【発明を実施するための形態】
【００２４】
図１〜図１９を用いて本発明の実施の形態に係る平板状ケーブル用コネクタについて説明する。
【００２５】
（第１実施形態）
図１〜図１１を用いて第１実施形態について説明する。
【００２６】
本実施の形態に係る平板状ケーブル用コネクタ１は、図１，図２に示すように、平板状ケーブル３と、コネクタ５と、相手端子７と、相手コネクタ９とを備えている。
【００２７】
図３〜図５に示すように、平板状ケーブル３は、ＦＰＣやＦＦＣなどの可撓性を有する平板状のケーブルからなり、複数の導体部（不図示）を備えている。この平板状ケーブル３には、スライダ１１と第１シール部材としてのシール材１３とが組み付けられてケーブル組立体１５が構成されている。
【００２８】
スライダ１１は、樹脂材料からなり、スライダ本体１７と、スライダカバー１９とを備えている。スライダ本体１７は、平板状ケーブル３の導体部を覆うように平板状ケーブル３の上面に組み付けられる。また、スライダ本体１７の平板状ケーブル３側の面（下面）には、複数（ここでは２つ）のボス２１が突設されている。このボス２１は、平板状ケーブル３に設けられたボス穴２３に挿通され、平板状ケーブル３に対してスライダ本体１７が位置決め固定される。また、スライダ本体１７の両側面には、ビーク２５が突設され、スライダカバー１９が固定される。
【００２９】
スライダカバー１９は、スライダ本体１７で覆われた平板状ケーブル３の導体部の一部を外部に露出させるように平板状ケーブル３の下面に組み付けられる。また、スライダカバー１９には、平板状ケーブル３のボス穴２３を挿通して突出されたスライダ本体１７のボス２１が挿通されるボス穴２７が設けられている。これらのボス２１とボス穴２３，２７との係合により、スライダ１１が平板状ケーブル３に対して位置決め固定される。また、スライダカバー１９の両側面には、スライダ本体１７のビーク２５と係合するロック２９が設けられている。このロック２９とビーク２５との係合により、スライダ本体１７とスライダカバー１９とが固定される。
【００３０】
シール材１３は、ゴムなどの弾性材料からなり、中央部に平板状ケーブル３が密着して挿通されている。なお、シール材１３と平板状ケーブル３とを別部材で形成させて組み付けてもよいが、シール材１３を平板状ケーブル３に一体成型させてもよい。このシール材１３の外周は、図２に示すように、コネクタ５の挿入口３１内で挿入口３１の内周面と弾性的に密着し、コネクタ５と平板状ケーブル３との間をシールする。
【００３１】
このような平板状ケーブル３にスライダ１１とシール材１３とが組み付けられたケーブル組立体１５は、コネクタ５の挿入口３１から挿入されてコネクタ５に組み付けられる。
【００３２】
図６，図７に示すように、コネクタ５は、樹脂材料からなり、挿入口３１と、収容部３３と、間口３５と、相手コネクタ収容部３７とを備えている。挿入口３１は、コネクタ５の一側に向けて開口されている。この挿入口３１からケーブル組立体１５が挿入され、ケーブル組立体１５がコネクタ５に組み付けられる。この挿入口３１には、ケーブル組立体１５のシール材１３が収容され、コネクタ５と平板状ケーブル３との間がシールされる。
【００３３】
収容部３３は、挿入口３１よりもコネクタ５の内部側に設けられ、挿入口３１と連通されて筒状に形成されている。また、収容部３３の底部には、貫通孔３９が設けられている。この収容部３３には、図２に示すように、ケーブル組立体１５のスライダ１１が収容され、スライダ１１の一部が貫通孔３９を挿通して相手コネクタ収容部３７内に突出される。このスライダ１１の突出された部分は、相手端子７に挟み込まれる接続部４１となる。このようにスライダ１１を収容部３３に収容することにより、スライダ１１の接続部４１の基端側が収容部３３の底部に当接され、ケーブル組立体１５のコネクタ５への挿入方向の移動を規制することができる。
【００３４】
間口３５は、コネクタ５の他側に向けて開口されている。この間口３５から相手コネクタ９が挿入され、相手コネクタ９がコネクタ５に組み付けられる。この間口３５は、相手コネクタ９を収容する相手コネクタ収容部３７と連通されている。
【００３５】
相手コネクタ収容部３７は、コネクタ５の内部で収容部３３の外周側に設けられている。この相手コネクタ収容部３７には、間口３５から挿入される相手コネクタ９が収容部３３の外周を覆うように収容される。なお、この相手コネクタ収容部３７には、操作部４３とロック部４５とを有し揺動可能に設けられたロックアーム４７のロック部４５が位置されており、相手コネクタ９がコネクタ５に対して固定される。
【００３６】
このように構成されたコネクタ５は、回路基板などの基板（不図示）上に実装され、電子部品などに接続された平板状ケーブル３と、基板に接続された相手端子７とを導通させるために適用される。
【００３７】
図８に示すように、相手端子７は、導電性の金属材料からなり、Ｌ字状に形成されて一端側に設けられた導通部４９が基板に接続され、他端側に狭持部５１が設けられている。狭持部５１は、先端側が弾性変形可能に開口されたフォーク形状をなしている。この狭持部５１には、図２に示すように、ケーブル組立体１５の接続部４１が挟み込まれ、平板状ケーブル３の導体部と相手端子７とが導通される。
【００３８】
ここで、狭持部５１の挟み込みによる平板状ケーブル３の導体部と狭持部５１との接触荷重の調整は、接続部４１におけるスライダ１１のスライダ本体１７の厚みを変更することによって行われる。これにより、例えば、平板状ケーブル３の厚みが薄く、狭持部５１の変位量の幅が小さい場合にも、スライダ本体１７の厚みを変更することによって、狭持部５１に変位量の幅をもたせることができ、接触荷重の調整を行うことができる。
【００３９】
このような相手端子７は、相手コネクタ９に収容され、相手コネクタ９とコネクタ５とを嵌合させることにより、平板状ケーブル３と導通される。
【００４０】
図９〜図１１に示すように、相手コネクタ９は、樹脂材料からなり、嵌合部５３と、端子収容部５５とを備えている。嵌合部５３は、筒状に形成され、コネクタ５の収容部３３の外周を覆うようにコネクタ５の相手コネクタ収容部３７に収容される。また、嵌合部５３の外周の上面には、コネクタ５のロックアーム４７のロック部４５と係合する一対のビーク部５７，５９が突設されている。この一対のビーク部５７，５９のうち、相手コネクタ９の挿入方向前方に位置する一方のビーク部５７は、他方のビーク部５９よりも突出高さが低く設定され、挿入方向の前面が傾斜面となっている。このため、相手コネクタ９をコネクタ５に嵌合させることにより、ロックアーム４７のロック部４５が一方のビーク部５７の傾斜面を乗り越え、他方のビーク部５９と当接し、一対のビーク部５７，５９間に係合される。この一対のビーク部５７，５９とロックアーム４７のロック部４５との係合により、相手コネクタ９のコネクタ５に対する嵌合位置が保持される。なお、この係合は、ロックアーム４７の操作部４３を押し下げることによって解除させることができ、コネクタ５と相手コネクタ９との嵌合を解除することができる。
【００４１】
ここで、コネクタ５の収容部３３の外周には、図７に示すように、相手コネクタ９とコネクタ５の収容部３３の外周との間をシールする第２シール部材としてのゴムパッキン６１が設けられている。このゴムパッキン６１は、図２に示すように、内周が収容部３３の外周面に密着されており、外周が相手コネクタ９の嵌合部５３の内周面と弾性的に密着し、コネクタ５と相手コネクタ９との間をシールする。このような嵌合部５３は、端子収容部５５と連通されている。
【００４２】
端子収容部５５は、図１０に示すように、相手コネクタ９の幅方向に延びる貫通孔となっており、複数の相手端子７が収容される。なお、相手端子７の収容数は、設定された回路に応じて適宜選択される。また、端子収容部５５には、図２に示すように、ケーブル組立体１５の接続部４１が挿入され、平板状ケーブル３と相手端子７とが導通される。このように端子収容部５５内で平板状ケーブル３と相手端子７とを導通させることにより、互いの位置ズレを防止することができる。
【００４３】
このような平板状ケーブル用コネクタ１では、相手端子７がスライダ１１と平板状ケーブル３の導体部とを挟み込むので、樹脂からなるスライダ１１の厚みを調整することにより、平板状ケーブル３の導体部と相手端子７との間に十分な接触荷重を与えることができる。
【００４４】
従って、この平板状ケーブル用コネクタ１では、平板状ケーブル３の導体部と相手端子７とを確実に導通させることができる。
【００４５】
また、平板状ケーブル３の導体部の厚み方向の一方の面は、スライダ１１に覆われているので、平板状ケーブル３の破損を防止することができる。
【００４６】
さらに、コネクタ５には、スライダ１１を収容し平板状ケーブル３のコネクタ５への挿入方向の移動を規制する収容部３３が設けられているので、平板状ケーブル３のコネクタ５に対する挿入位置を位置決めすることができ、平板状ケーブル３のコネクタ５への挿入を容易に行うことができる。加えて、平板状ケーブル３の導体部の位置ズレを防止でき、相手端子７と導体部とを確実に導通させることができる。
【００４７】
また、平板状ケーブル３に平板状ケーブル３とコネクタ５の挿入口３１との間をシールするシール材１３が設けられているので、コネクタ５の挿入口３１側からコネクタ５内へ水が侵入することを防止することができる。
【００４８】
さらに、相手端子７がコネクタ５に嵌合される相手コネクタ９の端子収容部５５に収容されているので、相手端子７を保持して平板状ケーブル３の導体部と相手端子７との導通を安定させることができる。
【００４９】
また、コネクタ５の収容部３３の外周に相手コネクタ９とコネクタ５の収容部３３の外周との間をシールするゴムパッキン６１が設けられているので、コネクタ５の間口３５側からコネクタ５内へ水が侵入することを防止することができる。
【００５０】
（第２実施形態）
図１２〜図１９を用いて第２実施形態について説明する。
【００５１】
本実施の形態に係る平板状ケーブル用コネクタ１０１は、図１２，図１３に示すように、ホルダ１０３を備えている。なお、第１実施形態と同一の構成には、同一の記号を記して説明を省略するが、第１実施形態と同一の構成であるので、構成及び機能説明は第１実施形態を参照するものとし省略するが、得られる効果は同一である。
【００５２】
図１４，図１５に示すように、ホルダ１０３は、樹脂材料からなり、一方の側面が開口されたコ字状に形成されている。このホルダ１０３は、図１７に示すように、開口から平板状ケーブル３に挿入され、コネクタ５の挿入口３１の外周を覆うようにコネクタ５に組み付けられる。このホルダ１０３をコネクタ５に組み付けることにより、平板状ケーブル３がコネクタ５からの抜け方向の移動を規制され、平板状ケーブル３をコネクタ５に保持することができる。このホルダ１０３の内部の両側面には、複数（ここではそれぞれ２つ）のリブ１０５が設けられている。
【００５３】
複数のリブ１０５は、ホルダ１０３の内部に向けて両側面から突設されている。この複数のリブ１０５は、図１９に示すように、コネクタ５の挿入口３１の両側面に設けられた複数（ここではそれぞれ２つ）の係合溝１０７に係合される。また、複数のリブ１０５と複数の係合溝１０７とは、図１３，図１５，図１６に示すように、ホルダ１０３の両側面とコネクタ５の挿入口３１の両側面とにそれぞれ対称に設けられている。このため、図１８に示すように、ホルダ１０３を平板状ケーブル３の幅方向のどちらの側から挿入しても、リブ１０５と係合溝１０７とを係合させることができ、位置合わせなどの作業を省略させて組付作業性を向上することができる。また、ホルダ１０３の上下面には、コネクタ５の挿入口３１の上下面にそれぞれ突設されたビーク部１０９（片側のみ図示）と係合するロック部１１１がそれぞれ設けられている。このロック部１１１は、ホルダ１０３を組付方向に移動させると、ビーク部１０９の先端の傾斜面を乗り越え、ビーク部１０９の後端面に係止される。
【００５４】
ここで、ホルダ１０３は、コ字状に形成されているため、例えば、ロック部１１１とビーク部１０９との係合のときのように、開口から拡張する方向に力が加わると、開口とは反対側の側面に応力が集中して変形や破損が起こる可能性がある。しかしながら、ホルダ１０３では、リブ１０５と係合溝１０７との係合により、ホルダ１０３に開口から拡張する方向に力が加わることが防止され、ホルダ１０３の変形や破損を防止することができる。加えて、ホルダ１０３が開口から拡張することがないので、ロック部１１１とビーク部１０９との係合を保持することができる。
【００５５】
このような平板状ケーブル用コネクタ１０１では、コネクタ５の挿入口３１に平板状ケーブル３を挿通して保持し平板状ケーブル３のコネクタ５からの抜け方向の移動を規制するホルダ１０３が組み付けられているので、平板状ケーブル３のコネクタ５に対する保持を安定させることができると共に、平板状ケーブル３のコネクタ５からの抜けを防止して平板状ケーブル３の導体部と相手端子７（例えば、図２参照）との導通を安定させることができる。
【００５６】
また、ホルダ１０３が一方の側面が開口されたコ字状に形成されているので、リブ１０５と係合溝１０７とを係合させることにより、ホルダ１０３が開口から拡張する方向への変形を防止することができる。
【００５７】
さらに、複数のリブ１０５と複数の係合溝１０７とがそれぞれ対称に設けられているので、コ字状のホルダ１０３を平板状ケーブル３を挿通しつつコネクタ５の挿入口３１のどちらの側面に対してもリブ１０５と係合溝１０７とを係合させて組み付けることができ、ホルダ１０３のコネクタ５に対する組付性を向上することができる。
【００５８】
なお、本発明の実施の形態に係る平板状ケーブル用コネクタでは、相手端子を相手コネクタに収容させる構成としているが、コネクタの間口側に相手端子を収容する収容部を設けてコネクタに相手端子を収容させる構成としてもよい。
【００５９】
また、ホルダとコネクタの挿入口とに設けられたリブと係合溝とがそれぞれ両側面に対称に設けられている構成としているが、これに限らず、例えば、ホルダとコネクタの挿入口との上下面に対称に設けてもよい。
【符号の説明】
【００６０】
１，１０１…平板状ケーブル用コネクタ
３…平板状ケーブル
５…コネクタ
７…相手端子
９…相手コネクタ
１１…スライダ
１３…シール材（第１シール部材）
３１…挿入口
３３…収容部
３５…間口
５５…端子収容部
６１…ゴムパッキン（第２シール部材）
１０３…ホルダ
１０５…リブ
１０７…係合溝
【図１】
0005631102.tif 000002
【図２】
0005631102.tif 000003
【図３】
0005631102.tif 000004
【図４】
0005631102.tif 000005
【図５】
0005631102.tif 000006
【図６】
0005631102.tif 000007
【図７】
0005631102.tif 000008
【図８】
0005631102.tif 000009
【図９】
0005631102.tif 000010
【図１０】
0005631102.tif 000011
【図１１】
0005631102.tif 000012
【図１２】
0005631102.tif 000013
【図１３】
0005631102.tif 000014
【図１４】
0005631102.tif 000015
【図１５】
0005631102.tif 000016
【図１６】
0005631102.tif 000017
【図１７】
0005631102.tif 000018
【図１８】
0005631102.tif 000019
【図１９】
0005631102.tif 000020